(57)【特許請求の範囲】
【請求項１】
建屋内が仕切壁にて客室と機械室とに仕切られ、機械室に精米機などの各種装置が配設されたコイン式精米設備において、精米機から排出された白米を客室側に案内する白米排出シュートが、仕切壁に対して開閉自在の扉体に取付けられたコイン式精米設備の白米出口構造。
【請求項２】
白米排出シュートの内面には、外部から断熱された薄板材が配設されている請求項１記載のコイン式精米設備の白米出口構造。
【請求項３】
精米機は縦型とされ、扉体は、機械室と客室とを仕切る仕切壁における精米機下方位置で略水平に配置された水平仕切部に、略水平となる閉姿勢から斜め下方に開いて白米排出シュートの内面が客室側に向く開姿勢に回動するように取付けられ、扉体を開けることを機械室側からだけ許容する構成となった請求項１または２に記載のコイン式精米設備の白米出口構造。
【請求項４】
仕切壁における精米機に臨む正面箇所にメンテナンス用開閉扉を設けた請求項３に記載のコイン式精米設備の白米出口構造。
【発明の詳細な説明】
【０００１】
【発明の属する技術分野】
本発明はコイン式精米設備の、精米機から排出された白米を客室側に出す白米出口部分の構造に関するものである。
【０００２】
【従来の技術】
コインや紙幣などの各種貨幣を投入することにより自動的に精米作業を行ういわゆるコイン式精米設備は知られている。このようなコイン式精米設備においては、図７〜図９に示すように、仕切壁１により建屋２の内部が、利用客が自由に出入りできる客室３と、係員などが出入り可能な機械室４とに仕切られており、機械室４に、精米機５や石抜機６、糠排出用の送風機７、昇降装置８、９などが配設されている。さらに、機械室４には、上述のような各種装置や糠回収袋１１も配置されており、これらの各種装置のメンテナンスや糠回収の回収を行う際に保守係員が機械室４に出入りできるように、機械室４に面した建屋２の後部に係員用扉１４が設けられている。
【０００３】
また、図７、図９に示すように、精米機５として縦型のものを採用し、精米機５の白米排出口５ａをその下端部から白米ホッパ１３に向く姿勢で配置し、機械室４における仕切壁１に沿う位置に精米機５を設けたものがある。
この種の縦型の精米機５を採用すると、横型の精米機を仕切壁１に沿う横方向に配置した場合と比較して横幅をとらず（実際には制御操作部１２などが配設されているため、配置困難である）、また、横形の精米機を仕切壁に対して直交する前後方向に沿う方向に配置した場合と比較して、前後方向にも必要なスペースを少なくすることができるので、コイン式精米設備として、省スペース化を図ることができる利点がある。また、横型の精米機を前後方向に配置した場合には、精米機からの排出方向が前方向となるため、さらに前方向に精米済み白米を排出するスペースが必要であるが、縦型の精米機５を採用することで、精米機５の下方が白米の排出スペースとなり、省スペース化を図れる。また、糠排出用の送風機７を精米機５の直ぐ後方に配置できるため、排気効率も良好となる。
【０００４】
仕切壁１における精米機５の下方箇所には、下方ほど細くすぼまる形状の白米排出シュート１５が仕切壁１の水平仕切部１ａを上下に貫通した姿勢で固着されている。この白米排出シュート１５は、精米機５の白米排出口５ａから排出される白米を白米ホッパ１３側へ良好に案内する役目を果たすとともに、利用客などが精米開始や精米終了などの確認のためなどに精米機５の白米排出口５ａへ向けて手を差し入れたりすることを防止している。白米排出シュート１５は、比較的圧肉の金属板材で製造されていた。
【０００５】
【発明が解決しようとする課題】
しかしながら、従来のコイン式精米設備の白米出口構造によれば、長期間にわたってコイン式精米設備を使用していると、白米排出口５ａから排出される白米に付着していた糠が、白米排出口５ａや白米排出シュート１５の内面などに付着したり、付着後に固化したりして溜まってしまい、不衛生となる恐れがあった。白米排出口５ａや白米排出シュート１５の内面などに付着した糠を取り除こうとすると、精米機５の一部を取り外すなど、非常に多くの手間や時間がかかってしまう。また、精米機５の一部を取り外した後でも、白米排出シュート１５が機械室４の客室３寄り奥部に位置して、その内面などに手が届き難くて、見え難い箇所にあるため、掃除を行う際の作業性も悪かった。
【０００６】
また、精米機５にて精米作業を行うと、擦られて精米されることで室温よりも高温となった精米機５内の空気が白米排出シュート１５に接触した際などに、白米排出シュート１５の内面に結露を生じたりして、白米に付着していた糠が白米排出シュート１５の内面に付着し易くなるという問題もあった。
本発明は上記課題を解決するもので、白米排出口や白米排出シュートの内面に糠が付着した場合でも、容易に糠を除去することができ、白米排出シュートの内面に糠が付着し難いコイン式精米設備の白米出口装置を提供することを目的とするものである。
【０００７】
【課題を解決するための手段】
上記課題を解決するために、請求項１記載の発明は、建屋内が仕切壁にて客室と機械室とに仕切られ、機械室に精米機などの各種装置が配設されたコイン式精米設備において、精米機から排出された白米を客室側に案内する白米排出シュートが、仕切壁に対して開閉自在の扉体に取付けられたことを特徴とする。
【０００８】
この構成において、白米排出シュートが取付けられている扉体を開けることで白米排出シュートや精米機の白米出口箇所が客室側に露出するので、これらの箇所を容易に掃除することができて、糠の除去を能率良く行うことができる。
請求項２記載の発明は、請求項１記載のコイン式精米設備において、白米排出シュートの内面には、外部から断熱された薄板材が配設されていることを特徴とする。
【０００９】
この構成によれば、白米排出シュートの内面が、外部から断熱された薄板材で構成されているため、精米時に白米が排出された際に、熱容量の小さな薄板材がすぐに加熱されて結露が防止され、この結果、白米排出シュートの内面に糠が付着し難い状態となる。
請求項３記載の発明は、請求項１または２に記載のコイン式精米設備において、精米機は縦型とされ、扉体は、機械室と客室とを仕切る仕切壁における精米機下方位置で略水平に配置された水平仕切部に、略水平となる閉姿勢から斜め下方に開いて白米排出シュートの内面が客室側に向く開姿勢に回動するように取付けられ、扉体を開けることを機械室側からだけ許容する構成となったことを特徴とする。
【００１０】
この構成により、扉体を開けると、白米排出シュートの内面が客室側に向く姿勢となるため、白米排出シュートの内面を容易に視認しながら極めて簡単に掃除することができ、また、機械室側からだけ扉体を開けることを許容する構成としたため、利用客などが白米排出シュート近傍を触っているうちに扉体が不用意に開いてしまったりすることを防止できる。
【００１１】
請求項４記載の発明は、請求項３に記載のコイン式精米設備において、仕切壁における精米機に臨む正面箇所にメンテナンス用開閉扉を設けたことを特徴とする。
【００１２】
【発明の実施の形態】
以下、本発明の実施の形態について、図面に基き説明する。なお、従来のコイン式精米設備の構成部品とほぼ同様な機能のものには同じ符号を付す。
図１、図７に示すように、このコイン式精米設備においても、仕切壁１により建屋２の内部が、利用客が自由に出入りできる客室３と、係員などが出入り可能な機械室４とに仕切られており、機械室４に、精米機５や石抜機６、糠排出用の送風機７、昇降装置８、９などが配設されている。また、機械室４には、上述のような各種装置や糠回収袋１１も配置されており、これらの各種装置のメンテナンスや糠回収の回収を行う際に保守係員が機械室４に出入りできるように、機械室４に面した建屋２の後部に係員用扉１４が設けられている。また、図１、図２に示すように、精米機５として縦型のものを採用し、精米機５の白米排出口５ａをその下端部から白米排出シュート２１を介して白米ホッパ１３に向く姿勢で配置し、機械室４における仕切壁１に沿う位置に精米機５を配置している。
【００１３】
従来のコイン式精米設備とは異なって、このコイン式精米設備においては、図１〜図４に示すように、精米機５から排出された白米を客室３側に案内する白米排出シュート２１が、精米機５の下方位置で略水平に延びる水平仕切部１ａに対して開閉自在のシュート用扉体２２に取付けられている。そして、シュート用扉体２２は、図２、３に示すように、シュート用扉体２２の後端辺に設けられたヒンジ部２５を支点として、略水平となる閉姿勢から前側が斜め下方に向けて開く開姿勢に回動するように水平仕切部１ａに取付けられている。また、シュート用扉体２２の他端側の前後にはねじ軸２３がそれぞれ上方に突設され、これらのねじ軸２３は、水平仕切部１ａに続く傾斜面部１ｂに設けられた挿通孔１ｃを下方から通した状態で、ノブナット２４をねじ付けることでシュート用扉体２２が開くことを防止できるようになっている。
【００１４】
また、図５に示すように、白米排出シュート２１は、下方ほど細くすぼまる形状とされ、シュート用扉体２２に取付けられたシュート本体２１ａと、このシュート本体２１ａの内側に断熱材２１ｂを介して取付けられたステンレス製の薄板材２１ｃとから構成されている。
上記構成において、白米排出口５ａから排出される白米に付着していた糠が、白米排出口５ａや白米排出シュート２１の内面などに付着した際には、機械室４側からノブナット２４を外して、白米排出シュート２１が取付けられているシュート用扉体２２を客室３側に向けて開ける。これにより、白米排出シュート２１や精米機５の白米排出口５ａが客室側に露出するので、これらの箇所を容易に掃除することができて、糠の除去を能率良く行うことができ、特に、シュート用扉体２２を開けた際には、白米排出シュート２１の内面が客室３側（前方）に向く姿勢となるため、白米排出シュート２１の内面を容易に視認することもでき、掃除も極めて簡単に行うことができる。さらに、白米排出シュート２１だけを取り外す場合と比べて、シュート用扉体２２を開けることで大きな開口部が開けられるので、精米機５の白米排出口５ａの掃除を作業能率良く行うことができる。また、シュート用扉体２２を開けた場合でも白米排出シュート２１がシュート用扉体２２から分離しないため、白米排出シュート２１を置くためのスペースを必要としない。
【００１５】
また、白米排出シュート２１の内面が、外部から断熱されたステンレス製の薄板２１ｃで構成されているため、精米が開始されて白米が排出され始めると、白米排出口５ａから排出される暖かな空気によって、熱容量の小さな薄板材２１ｃがすぐに加熱されて結露が防止される。この結果、白米排出シュート２１の内面に糠が付着し難い状態となり、糠の付着自体が最小限に抑えられる。
【００１６】
また、シュート用扉体２２は機械室４側より操作することで開けることが可能な状態となり、シュート用扉体２２を閉めている状態では客室３側からはシュート用扉体２２を開けられないため、利用客などが白米排出シュート２２近傍を触っているうちにシュート用扉体２２が不用意に開いてしまったりすることを防止できる。
【００１７】
なお、上記の実施の形態においては、精米機５として縦型のものを採用し、精米機５の白米排出口５ａがその下端部から白米ホッパ１３に向く姿勢で配置され、機械室４における仕切壁１に沿う位置に設けられたコイン式精米設備の場合を図示しており、これによれば、横型の精米機を採用した場合に比べて、横幅や前後方向へのスペースをとらず、省スペース化を図ることができ、また、糠排出用の送風機１６を精米機５の直ぐ後方に配置できるため、排気効率も良好となる利点がある。しかしながら、これに限るものではなく、横形の精米機を採用しているコイン式精米設備に対しても、白米出口箇所に同様の構成を採用することができることはもちろんである。
【００１８】
また、上述のように縦型の精米機５を採用した場合に、図６に示すように、仕切壁１における精米機５に対応する正面位置にメンテナンス用３０を開閉自在に設けてもよく、この場合には、メンテナンス扉３０を開けることで、シュート用扉体２２を係止するノブナット２４（図２参照）を非常に容易に回転させることができて、さらに作業性が向上する。また、この場合にも、メンテナンス扉３０の閉鎖状態のロックが客室３側からは行えず、機械室４側からのみ行える構成とすることが防犯上望ましいが、これに限るものではなく、メンテナンス扉３０に施錠装置を設けて、施錠装置の鍵差込口ならびに取手部を客室３側に臨ませて設けて、前記鍵差込口に鍵を差し込むことで客室側からメンテナンス扉３０を開けることができるように構成してもよい。
【００１９】
また、白米排出シュート２１の内面に取付けられた薄板材２１ｃは、防錆性の点からもステンレス製が望ましいが、これに限るものではなく、アルミニウムや、その他の金属、またはセラミック材などを用いてもよい。
【００２０】
【発明の効果】
以上のように本発明によれば、精米機から排出された白米を客室側に案内する白米排出シュートを、仕切壁に対して開閉自在の扉体に取付けることで、白米排出シュートや精米機の白米排出口を容易に掃除することができて、糠の除去を能率良く行うことができる。特に、白米排出シュートだけを取り外す場合と比べて、扉体を開けることで大きな開口部が開けられるので、精米機の白米排出口の掃除を作業能率良く行うことができる。また、白米排出シュートを置くためのスペースなどを必要としない利点もある。
【００２１】
また、白米排出シュートの内面に、外部から断熱された薄板材を配設することで、白米排出シュートに対する糠の付着自体が最小限に抑えられる。
また、精米機として縦型のものを採用することで、省スペース化を図ることができ、また、扉体を開けた際に白米排出シュートの内面が客室側に向くようにすることで、白米排出シュートの内面を視認しながら極めて簡単かつ能率的に掃除することができ、さらに、扉体を開けることを機械室側からだけ許容する構成とすることで、利用客などが白米排出シュート近傍を触っているうちに扉体が不用意に開いてしまったりすることを防止できる。
【００２２】
また、仕切壁における精米機に臨む正面箇所にメンテナンス用開閉扉を設けることにより、メンテナンス用開閉扉を開けた状態で、扉体を開けることができるようになり、作業性がさらに向上する。
【図面の簡単な説明】
【図１】本発明の実施の形態にかかるコイン式精米設備の概略的な側面断面図である。
【図２】同コイン式精米設備の白米出口箇所の側面断面図で、シュート用扉体を閉じた状態を示す。
【図３】同コイン式精米設備の白米出口箇所の側面断面図で、シュート用扉体を開けた状態を示す。
【図４】同コイン式精米設備の白米出口箇所の部分切欠正面図である。
【図５】同コイン式精米設備の白米排出シュートの断面図である。
【図６】本発明の他の実施の形態にかかるコイン式精米設備において、メンテナンス用開閉扉を開けた状態を示す正面図である。
【図７】コイン式精米設備の概略的な平面断面図である。
【図８】従来のコイン式精米設備の正面図である。
【図９】従来のコイン式精米設備の側面断面図である。
【符号の説明】
１        仕切壁
１ａ      水平仕切部
２        建屋
３        客室
４        機械室
５        精米機
５ａ      白米排出口
１３      白米ホッパ
２１      白米排出シュート
２１ａ    シュート本体
２１ｂ    断熱材
２１ｃ    薄板材
２２      シュート用扉体
２５      ヒンジ部
２３      ねじ軸
２４      ノブナット
３０      メンテナンス扉
【図１】
0004107778.tif 000002
【図２】
0004107778.tif 000003
【図３】
0004107778.tif 000004
【図４】
0004107778.tif 000005
【図５】
0004107778.tif 000006
【図６】
0004107778.tif 000007
【図７】
0004107778.tif 000008
【図８】
0004107778.tif 000009
【図９】
0004107778.tif 000010